(57)【要約】【課題】  不要な工数を増加させることなく、搬送用平ベルトに、幅方向に不連続に並ぶ突起を形成する。【解決手段】  円柱形の内型４０は、ゴム筒４４を有する。ゴム筒４４の外周面４４Ａに未加硫ゴムシート２１’、帆布２２を順に装着する。これらゴムシート等が装着された内型４０を外型６０内部に収納する。各外型６０の内周面６２には、突起を成型するための凹陥部７０が軸Ｘ方向、及び周方向に複数並ぶ。ゴム筒４４を膨らませることにより、内型４０を拡径させ、ゴム筒４４及び外型６０により未加硫ゴムシート２１’、帆布２２を狭圧する。狭圧と同時に、未加硫ゴムシート２１’及び帆布２２を加熱する。これにより、未加硫ゴムシート２１’の一部を各凹陥部７０の内部に流入させるとともに、未加硫ゴムシート２１’を加硫させ、その外周面に突起が形成されたベルトスリーブを成形する。次に、ゴム筒４４を萎ませ縮径させ、内型４０からベルトスリーブを離型させる。その後、ベルトスリーブを外型６０から離型させる。【選択図】        図４
2007062160.tif 000002
【特許請求の範囲】
【請求項１】
柱形の内型の外周面に少なくとも未加硫ゴムシートを筒状に装着するとともに、前記未加硫ゴムシートを装着した前記内型を囲むように、内周面に突起を成型するための凹陥部が設けられた外型を配置する工程と、
前記内型を拡径させ、前記内型の外周面と前記外型の内周面により前記未加硫ゴムシートを挟圧するとともに、前記未加硫ゴムシートを加熱することにより、前記未加硫ゴムシートの一部を前記凹陥部の内部に流入させるとともに、前記未加硫ゴムシートを加硫させ、外周面に突起が形成されたベルトスリーブを成形する工程と、
前記内型を縮径させることにより、前記ベルトスリーブを前記内型から離型させるとともに、前記ベルトスリーブを前記外型から離型させる工程と
を備える突起付きベルトの製造方法。
【請求項２】
前記凹陥部が、前記外型の内周面において前記外型の軸方向に不連続に設けられることを特徴とする請求項１に記載の突起付きベルトの製造方法。
【請求項３】
前記凹陥部が前記外型の軸方向及び周方向の少なくとも一方に複数並ぶことを特徴とする請求項１に記載の突起付きベルトの製造方法。
【請求項４】
前記内型は、外周面に前記未加硫ゴムシートが装着されるゴム筒部を備え、前記ゴム筒部が径方向外側に膨張することにより、前記ゴム筒部の外周面と前記外型の内周面により前記未加硫ゴムシートが挟圧されることを特徴とする請求項１に記載の突起付きベルトの製造方法。
【請求項５】
前記内型を縮径させ、前記ベルトスリーブを前記内型から離型させた後、前記ベルトスリーブが、径方向内側に折り曲げられて前記外型から離型されることを特徴とする請求項１に記載の突起付きベルトの製造方法。
【請求項６】
前記内型には前記未加硫ゴムシートの内側または外側に帆布が筒状に装着されることを特徴とする請求項１に記載の突起付きベルトの製造方法。
【請求項７】
外周面に少なくとも未加硫ゴムシートが筒状に装着される柱形の内型と、
前記未加硫ゴムシートが装着される前記内型を囲むように配置され、その内周面に突起を成型するための少なくとも１つの凹陥部が設けられた外型と、
前記内型に装着される未加硫ゴムシートを加熱するための加熱手段と、
前記内型を縮径または拡径させるための変位手段と、
前記変位手段により前記内型を拡径させ、前記内型の外周面と外型の内周面により前記未加硫ゴムシートを狭圧するとともに、前記加熱手段により前記未加硫ゴムシートを加熱することにより、前記未加硫ゴムシートの一部を前記凹陥部の内部に流入させるとともに、前記未加硫ゴムシートを加硫させ、外周面に突起が形成されたベルトスリーブを成形し、前記ベルトスリーブが成形された後、前記変位手段により前記内型を縮径させることにより、前記ベルトスリーブを前記内型から離型させるとともに、前記ベルトスリーブを前記外型から離型させることを特徴とするベルト成型装置。
【発明の詳細な説明】
【技術分野】
【０００１】
本発明は、突起付きベルトの製造方法、及びその製造方法で用いられるベルト成型装置に関する。
【背景技術】
【０００２】
従来、例えば自動釣り銭機等の貨幣処理機内において、硬貨等の搬送物を搬送するために、突起付きの平ベルトが使用されている。このような突起付き平ベルトは、突起が例えば、接着剤でベルト本体に貼り付けられることにより製造される。
【０００３】
突起付きの平ベルトは、突起に搬送物を係止させつつ、ベルトを回転させて、搬送物を搬送するので、搬送物から突起に、ベルト搬送面に沿った負荷が作用される。また、搬送物が例えば障害物等に引っかかると、突起には搬送物から大きな負荷が作用されることがある。しかし、このように作用される負荷は、突起とベルトとの接着部分に集中して作用され、上述の突起付きベルトにおいては、突起が、ベルト本体との接着部分から剥離しやすいという問題がある。
【０００４】
そこで、ベルト本体と突起との接合部分の耐久性を向上させるために、特許文献１に記載されるように、加硫成型により、突起とベルト本体とを一体的に成形することが知られている。
【０００５】
この方法においては、突起成形用溝が設けられた内型に未加硫ゴムシートを巻きつけるとともに溝に対応する位置にゴム短冊を貼り付けた後、これらゴムを加熱すると共に、外側から加圧し、ゴムの一部を溝内に流入させ、これにより、内周面に突起が形成されたベルトスリーブが得られる。ここでベルトスリーブは、内型から脱型させなければならないが、突起成形用溝は、内型の外周面において、軸方向の一端から他端まで延ばされている。したがって、ベルトスリーブを軸方向に脱型させると、突起は溝に沿って離型され、これによりベルトスリーブは内型から容易に脱型させることができる。
【特許文献１】特開平１０−１５６９６１号公報
【発明の開示】
【発明が解決しようとする課題】
【０００６】
しかし、特許文献１の製造方法によれば、ベルトスリーブに形成される突起は、その軸方向に一端部から他端部まで連続的に延びている。一方、搬送用平ベルトにおいて、突起は、通常、幅方向において不連続に、複数個設けられており、このような場合、特許文献１の製造方法によれば、一旦成形された突起を切断して、不連続な突起を成形しなければならず、工数が増加してしまう。
【０００７】
また、不連続な突起を成形するために、突起成形用溝を、軸方向において不連続に設けると、ベルトスリーブを軸方向に離型する際、突起が内型に引っ掛かり、ベルトスリーブを内型から脱型させることができない。
【０００８】
そこで、本願発明はこのような問題点に鑑みて成されたものであり、工数を増加させることなく、ベルトの幅方向に不連続な突起を設けることができる製造方法を提供することを目的とする。
【課題を解決するための手段】
【０００９】
本発明に係る突起付きベルトの製造方法は、柱形の内型の外周面に少なくとも未加硫ゴムシートを筒状に装着するとともに、未加硫ゴムシートを装着した内型を囲むように、内周面に突起を成型するための凹陥部が設けられた外型を配置する工程と、内型を拡径させ、内型の外周面と外型の内周面により未加硫ゴムシートを挟圧するとともに、未加硫ゴムシートを加熱することにより、未加硫ゴムシートの一部を凹陥部の内部に流入させるとともに、未加硫ゴムシートを加硫させ、外周面に突起が形成されたベルトスリーブを成形する工程と、内型を縮径させることにより、ベルトスリーブを内型から離型させるとともに、ベルトスリーブを外型から離型させる工程とを備えることを特徴とする。このような製造方法によれば、ベルトスリーブを径方向内側に引っ張ることにより、外型から離型させることができるので、ベルトスリーブは径方向外側に延びる突起を外型に引っ掛けることなく離型される。
【００１０】
本発明によれば、凹陥部が例えば外型の内周面において外型の軸方向に不連続に設けられる場合でも、突起付きベルトを容易に製造することができる。凹陥部は、例えば外型の軸方向及び周方向の少なくとも一方に複数並ぶ。
【００１１】
内型が、外周面に未加硫ゴムシートが装着されるゴム筒部を備える場合、ゴム筒部が径方向外側に膨張することにより、ゴム筒部の外周面と外型の内周面により未加硫ゴムシートが挟圧されることが好ましい。
【００１２】
内型を縮径させ、ベルトスリーブを内型から離型させた後、ベルトスリーブが、径方向内側に折り曲げられて外型から離型されることが好ましい。
【００１３】
内型には未加硫ゴムシートの内側または外側に帆布が筒状に装着されても良い。
【００１４】
本発明に係るベルト成型装置は、外周面に少なくとも未加硫ゴムシートが筒状に装着される柱形の内型と、未加硫ゴムシートが装着される内型を囲むように配置され、その内周面に突起を成型するための少なくとも１つの凹陥部が設けられた外型と、内型に装着される未加硫ゴムシートを加熱するための加熱手段と、内型を縮径または拡径させるための変位手段とを備える。この装置においては、変位手段により内型を拡径させ、内型の外周面と外型の内周面により未加硫ゴムシートを狭圧するとともに、加熱手段により未加硫ゴムシートを加熱することにより、未加硫ゴムシートの一部を凹陥部の内部に流入させるとともに、未加硫ゴムシートを加硫させ、外周面に突起が形成されたベルトスリーブを成形する。そして、ベルトスリーブが成形された後、変位手段により内型を縮径させることにより、ベルトスリーブを内型から離型させるとともに、ベルトスリーブを外型から離型させることを特徴とする。
【発明の効果】
【００１５】
以上のように、本発明においては、通常のベルト製造に比べて、工数を増加させることなく、幅方向に不連続に設けられる突起を、成形することができる。また、製造されたベルトにおける突起は、ベルト本体に一体に成形されているので、高い耐久性を有する。
【発明を実施するための最良の形態】
【００１６】
図１は、本実施形態に係る搬送用平ベルトの使用状態を示す斜視図である。図２は、図１のII−II線上における搬送用平ベルトの縦断面図である。本実施形態に係る搬送用平ベルト１０は、ベルト本体２０を有し、ベルト本体２０は、ゴム層２１と、ゴム層２１の外周側に、搬送用平ベルト１０の芯体と成る帆布２２とが積層されて構成される。
【００１７】
ベルト本体２０は、無端状に形成され、その外周面２０Ａから垂直に突出する突起１１が設けられる。突起１１は外周面２０Ａの幅方向における一部において設けられるとともに、外周面２０Ａの長手方向における一部においても設けられ、すなわち、突起１１は、ベルトの幅方向、長手方向において不連続に形成される。具体的には、本実施形態においては、複数の突起１１が、幅方向に２つ等間隔に並べられるとともに、長手方向にも複数個（例えば８個）等間隔に並べられる。突起１１の断面形状（外周面２０Ａに沿った断面）は、幅方向に延びる矩形を呈する。
【００１８】
帆布２２は、ナイロン繊維、アラミド繊維、ポリエステル繊維、ガラス繊維、綿糸のいずれかまたはこれらの２種以上の混合繊維によって形成される。帆布２２は、上記繊維が、例えば無端状に織り上げられて形成される織物、また編み上げられて形成される編物である。
【００１９】
ゴム層２１及び各突起１１は、弾性材料であるエラストマーから形成され、例えば、エラストマー成分としては、エチレン−プロピレン−ジエン三元共重合体配合物（ＥＰＤＭ）、エチレン−プロピレンゴム（ＥＰＲ）、水素化ニトリルゴム、水素化ニトリルゴムに不飽和カルボン酸金属塩を添加したもの、クロロスルフォン化ポリエチレン、塩素化ポリエチレン、クロロプレン、ウレタンゴム、エピクロルヒドリンゴム、アクリルゴム、フッ素ゴム、シリコーンゴムのいずれか、またはこれらの２種以上の混合物等が使用される。
【００２０】
搬送用平ベルト１０は、図１に示すように例えばその外周面２０Ａの搬送面が水平面に対して傾くように、２つのプーリＰに掛け回されて使用される。搬送用平ベルト１０の外周面２０Ａにおいて、搬送物Ｃ（例えば硬貨）は、幅方向に２つ並べられた突起１１の図中左側に係止されて、突起１１の幅方向の中間位置に載置される。搬送用平ベルト１０は、図中反時計回りに回転され、その回転に伴い、搬送物Ｃは突起１１に係止されつつ搬送される。
【００２１】
図３〜５を用いて、本実施形態に係る搬送用平ベルト１０の製造方法について説明する。図３は搬送用平ベルト１０を製造するための加硫成型装置を示す。加硫成型装置３０は、内型４０と、内型４０を内部に収納するための外型６０を有する。
【００２２】
内型４０は、円盤形状を有する上型４２と、上型４２に対向して設けられ、円盤形状を有する下型４３と、これら上型４２および下型４３の間において、同心的に設けられ略円筒状に形成されたゴム筒４４を有する。上型４２の下面には、外周縁全周に亘って、下方に向けて突出する環状の上面突起部４６が設けられる。下型４３の上面には、外周縁全周に亘って、上方に向けて突出する環状の底面突起部４７が設けられる。上型４２及び下型４３は、それぞれ金属から形成される。
【００２３】
ゴム筒４４はその円筒形状の両端部が径方向内側に縮められることにより、上面突起部４６および底面突起部４７の内周側の側面に係合されて上型４２および下型４３に固定されている。
【００２４】
ゴム筒４４の内部には、密閉空間４８が設けられ、密閉空間４８には圧力媒体（例えば、蒸気圧、高圧気体等）が供給される。密閉空間４８は、圧力媒体が供給されると、密閉空間４８内部の圧力が上昇し、これにより、ゴム筒４４を径方向外側に膨張させる。内型４０の上型４２の上面および下型４３の下面には、それぞれ配管５１、５２が設けられ、配管５１、５２は、密閉空間４８に圧力媒体を供給し、または排出する。なお、上型４２と下型４３は、支柱５３によって接続され、支柱５３は、これら上型４２と下型４３を支持している。ゴム筒４４の外周面４４Ａには、未加硫ゴムシート２１’が巻きつけられ、円筒状に装着され、その外側に円筒の無端状の帆布２２が被せられる。
【００２５】
外型６０は、金属から形成され、有底の略円筒形状を呈し、その内周面６２及び底面６４により、収納室６１が形成される。外型６０の底面６４は、中央部に略円形の挿通孔６５が設けられる。外型６０には、内周面６２を加熱するための加温部６３が収納室６１の外周面を取り巻くように設けられる。加温部６３には、熱媒体が供給され、この熱媒体により、収納室６１の内周面６２が加温される。熱媒体は、外型６０に設けられた注入口６６から注入されるとともに、排出口６７から排出される。熱媒体としては、例えば、温水、水蒸気、オイル等が使用される。
【００２６】
外型６０の内周面６２には、複数の凹陥部７０が設けられる。凹陥部７０は、外型６０の軸Ｘに沿う方向に複数並べられるとともに、外型６０の周方向にも複数並べられる。すなわち、凹陥部７０は、内周面６２において、軸Ｘの方向、及び周方向に一部しか設けられておらず、換言すると軸Ｘの方向、及び周方向において不連続に設けられている。なお、最上及び最下位置に設けられた凹陥部７０は、外型６０の内周面６２の上端部６２Ａ、下端部６２Ｂに接続されていない。各凹陥部７０は、突起１１を成形するための凹陥部であり、突起１１と略同一形状を呈し、各凹陥部７０の断面形状は、軸Ｘの方向に長い矩形を呈する。なお、各凹陥部７０は、凹陥部７０内に空気が溜まり、突起１１の成型不良を回避するために、その底面から外型６０の上部まで延びるエア抜き穴が設けられていても良い。
【００２７】
次に、図４、５を用いて本実施形態におけるベルトスリーブの加硫成型方法について説明する。図４に示すように、未加硫ゴムシート２１’及び帆布２２が装着された内型４０が、収納室６１内に収納されると、内型４０の配管５２が、外型６０の挿通孔６５に挿通され、下型４３の下面が外型６０の底面６４に載置される。また、外型６０の内周面６２は、帆布２２から僅かに離間するように、未加硫ゴムシート２１’及び帆布２２が装着された内型４０を取り囲む。
【００２８】
このように内型４０が外型６０内に収納された状態において、内型４０内部の密閉空間４８に圧力媒体が供給されると、ゴム筒４４は径方向外側に膨張し、すなわち、ゴム筒４４が拡径され、ゴムシート２１’、及び帆布２２がゴム筒４４によって押圧される。ゴムシート２１’及び帆布２２は、径方向外側に押圧されると、径方向外側に変位され、図５に示すように、帆布２２は外型６０の内周面６２に密着する。ゴムシート２１’及び帆布２２は、ゴム筒４４からさらに押圧され、外型６０の内周面６２と、ゴム筒４４の外周面４４Ａにより挟圧される。
【００２９】
密閉空間４８への圧力媒体の供給とともに、外型６０の加熱部６３には熱媒体が供給される。また、内型４０の密閉空間４８に供給される圧力媒体は、例えば水蒸気であって、熱媒体の役割を兼ねている。したがって、これら熱媒体により外型６０の内周面６２及びゴム筒４４の外周面４４Ａが加熱されるので、ゴムシート２１’及び帆布２２は、外型６０および内型４０から熱伝導によって加熱される。
【００３０】
ゴムシート２１’及び帆布２２に圧力が付与されるとともに、熱媒体により加熱されると、ゴムシート２１’の粘度は低下し、ゴムシート２１’は流動化する。この流動化により、ゴムシート２１’は、帆布２２の各繊維間の隙間に含浸するとともに、その隙間から径方向外側に流れ、各凹陥部７０内部に流入される。凹陥部７０内部に流入したゴムシート２１’は、搬送用平ベルト１０における突起１１を形成する。ゴムシート２１’及び帆布２２への挟圧及び加熱は、凹陥部７０へのゴムシート２１’の流入後も継続され、ゴムシート２１’は加硫成型させられるとともに、ゴムシート２１’が帆布２２に加硫接着させられる。これにより、ゴムシート２１’によって成形されたゴム層２１に、帆布２２が積層されて構成されるベルト本体２０を有する円筒状のベルトスリーブ３１が得られ、このベルトスリーブ３１の一方の面３１Ａ（図５においては外周面）には、径方向外側に突出し、ベルト本体２０と一体に成形される突起１１が形成されている。
【００３１】
ベルトスリーブ３１が成形された後、圧力媒体の供給が停止され、密閉空間４８の圧力が低下させられ、ゴム筒４４が径方向内側に萎み縮径させられる。また、加温部６３への熱媒体の供給も停止され、加温部６３には冷却媒体（例えば冷却水）が供給させられ、ベルトスリーブ３１が冷却される。ここで、突起１１は各凹陥部７０に嵌合されており、突起１１は外型５０から離型し難いので、このゴム筒４４の縮径により、ベルトスリーブ３１は、最初にゴム筒４４（内型４０）から離型される。
【００３２】
次に、ベルトスリーブ３１を外型６０から離型させる。上述したように、突起１１は各凹陥部７０内に嵌合されているので、ベルトスリーブ３１を軸Ｘ方向に引っ張ることにより、外型４０から離型させようとすると、突起１１が凹陥部７０に引っ掛かり、ベルトスリーブ３１を離型させることはできない。そこで、本実施形態においては、まず、ベルトスリーブ３１を、折り曲げるように径方向内側に引っ張り、突起１１を凹陥部７０から離型させる。次に、Ｘ軸方向上向きにベルトスリーブ３１を引っ張ることにより、ベルトスリーブ３１を外型６０から取り出す。
【００３３】
内型４０及び外型６０から取り出されたベルトスリーブ３１は、所定幅にカットされ、図１、２に示すような搬送用平ベルト１０が得られる。
【００３４】
以上のように、本実施形態においては、通常のベルト製造に比べて、工数を増加させることなく、幅方向に不連続に設けられる突起を、成形することができる。また、このように成形された突起は、ベルト本体に一体に成形されているので、例えば突起が接着剤でベルト本体に取り付けられたときに比べ高い耐久性を有する。
【００３５】
なお、本実施形態においては、凹陥部７０の断面形状は、矩形を呈したが、楕円形状、円形状等、突起１１の形状に応じて、適宜変更することが可能である。また、本実施形態においては、ゴム筒４４及び外型６０からベルトスリーブ３１を離型させやすくするために、ゴム筒４４の外周面４４Ａ及び外型６０の内周面６２に離型剤が塗布されていても良い。
【図面の簡単な説明】
【００３６】
【図１】本実施形態に係る使用状態における平ベルトの斜視図である。
【図２】図１のII−II線上における平ベルトの縦断面図である。
【図３】内型を外型内に収納させる前の加硫成型装置の断面図である。
【図４】内型を外型内に収納させた後の加硫成型装置の断面図である。
【図５】ゴム筒が膨張したときの様子を示すための加硫成型装置の断面図である。
【符号の説明】
【００３７】
１０  搬送用平ベルト
１１  突起
２１’  未加硫ゴムシート
２１  ゴム層
２２  帆布
３１  ベルトスリーブ
４０  内型
４４  ゴム筒
４４Ａ  外周面
６０  外型
６２  内周面
７０  凹陥部
【図１】
2007062160.tif 000003
【図２】
2007062160.tif 000004
【図３】
2007062160.tif 000005
【図４】
2007062160.tif 000006
【図５】
2007062160.tif 000007